(57)【要約】【課題】  指先に装着または貼着することなく、安定した紙めくり状態を実現し得る補助具を提供し、または、当該補助具を装着した筆記具を提供する。【解決手段】  紙めくり補助具に係る発明は、柔軟なプラスチック製で構成されてなり、胴部１の先端に略半球状の先端部２を形成し、棒状部材Ｂと嵌合できる嵌合部１１を有してなることを特徴とする。また、有底筒状の胴部１０１，２０１と、この胴部の底部にくびれ部１０３，２０３を形成しつつ胴部およびくびれ部と一体的に構成された略半球状の先端部１０２，２０２とからなることを特徴とする。他方、筆記具に係る発明は、紙めくり補助具Ａを、筆記具Ｂの後端に固定的に装着してなることを特徴とする。【選択図】  図６
2007261224.tif 000002
【特許請求の範囲】
【請求項１】
柔軟なプラスチック製で構成されてなり、胴部の先端に略半球状の先端部を形成し、上記胴部は棒状部材と嵌合できる嵌合部を有してなることを特徴とする紙めくり補助具。
【請求項２】
柔軟なプラスチック製で構成されてなり、有底筒状の胴部と、この胴部の底部に連続して形成された略半球状の先端部とからなることを特徴とする紙めくり補助具。
【請求項３】
柔軟なプラスチック製で構成されてなり、有底筒状の胴部と、この胴部の底部にくびれ部を形成しつつ該胴部およびくびれ部と一体的に構成された略半球状の先端部とからなることを特徴とする紙めくり補助具。
【請求項４】
前記胴部は、その開口部近傍の外周面に少なくとも３個の突起部を設けたことを特徴とする請求項２または３に記載の紙めくり補助具。
【請求項５】
前記先端部は、表面に凹凸を形成してなる先端部であることを特徴とする請求項１ないし４のいずれかに記載の紙めくり補助具。
【請求項６】
前記胴部は、適宜長さの棒状部材に固定的に装着されてなることを特徴とする紙めくり補助具。
【請求項７】
請求項１ないし５のいずれかに記載の紙めくり補助具を、筆記具の後端に固定的に装着してなることを特徴とする紙めくり補助具付き筆記具。
【発明の詳細な説明】
【技術分野】
【０００１】
本発明は、書物または書類のページ等を一枚ずつめくるために使用する道具に関するものである。
【背景技術】
【０００２】
日常生活においてまたは業務上の行為において、書物または書類のページ等をめくる行為は頻繁に発生するものであるが、ページ等を一枚ずつめくることが困難な場合があった。特に冬期においては指先が乾燥するなどにより、ページ等をめくることに苦労することがある。日常生活では、やや抵抗感がありながらも指先を舐めることにより解消させていたが、業務上の行為では、特に、接客中の行為では、指先を舐めることができなかった。さらには、金属加工等のように切削油や潤滑油を使用する作業中においては、指先に油が付着しているため、この指を舐めることができなかった。
【０００３】
そこで、一般的には、水を含ませたスポンジを準備しておき、このスポンジから適宜水分を指先に与えることにより湿らせていた。しかし、スポンジに含ませる水の量によっては指先に多量の水が付着し、湿らせるというよりも濡れた状態となることがあり、不快であるとともに書類等も濡らしてしまう結果となることがあった。
【０００４】
他方、頻繁に書籍または書類を扱う者は、指サックを使用して適度な摩擦抵抗を指先に与え、頻繁に指を湿らせることなくページ等をめくり易くしていた。この指サックについては、使用目的等の多様化または耐久性の観点から材料または構造について種々の開発がなされている（特許文献１および２参照）。しかし、この指サックに関し、夏季においては指サックをしている指のみの発汗が多く不快であること、または、指先の感覚が鈍くなり使い勝手悪いことなどの指摘があり、指先にゴム製のチップ等を貼着できる構成の補助具が開発されている（特許文献３ないし６参照）。
【特許文献１】特開２０００−２５５１８２号公報
【特許文献２】特開平１１−１５７２５０号公報
【特許文献３】実開平８−４６０号公報
【特許文献４】国際公開ＷＯ２００４／０００５７２号公報
【特許文献５】特開平９−３９４３９号公報
【特許文献６】特開平８−３１０１５８号公報
【特許文献７】実用新案登録第３１０９０１２号公報
【発明の開示】
【発明が解決しようとする課題】
【０００５】
上記の各従来技術は、いずれも指に装着または貼着するものであり、確かに、指先の感覚を重視すれば、指に装着することによって微妙な感覚により紙めくりが可能となるということができる。しかしながら、上述したように、金属加工等の最中に書類をめくる必要のある場合には、指先に切削油または潤滑油が付着しているために、指先に装着または貼着することが困難であり、また、予め指サックを使用していることを想定した場合であっても、当該指サックの表面に潤滑油等が付着するため、結局のところ、指サックの効果を発揮させることができないものとなっていた。
【０００６】
これに対し、ペンの頭部にゴム片を貼着した構成の器具が提案されている（特許文献７参照）。しかし、上記器具は、ゴム片をペンの頭部に貼着したのみの構成であるため、少ない回数の紙めくりは可能であるが、業務上において使用する場合のように短時間に多数の紙めくりを要求され、また、紙をめくる機会が頻繁である場合には、紙面に対するゴム片の当接状態を調整しなければならないために、比較的手間のかかるものであることが予想されるものであった。その理由は、ペンの頭部は、平面または僅かに湾曲する曲面であるため、貼着するゴム片は、この頭部表面に沿った形状とならざるを得ず、これに対して、紙を上手にめくるためには、ゴム片と紙面との摩擦抵抗の状態が安定する必要であることから、上記ペンの頭部形状に合わせてゴム片を貼着した構成では、ゴム片によって得られる摩擦抵抗を所望の状態にすることが難しいからである。
【０００７】
本発明は、上記諸点にかんがみてなされたものであって、その目的とするところは、指先に装着または貼着することなく、安定した紙めくり状態を実現し得る補助具を提供し、または、当該補助具を装着した筆記具を提供することである。
【課題を解決するための手段】
【０００８】
そこで、紙めくり補助具に係る本発明は、柔軟なプラスチック製で構成されてなり、胴部の先端に略半球状の先端部を形成し、上記胴部は棒状部材と嵌合できる嵌合部を有してなることを特徴とする紙めくり補助具を要旨とする。
【０００９】
上記構成によれば、頭部が略半球状であるため、この頭部の球面の一部をめくるべき紙の表面に接触させることによって、当該球面部分のどの位置で接触した場合であっても同程度の接触面積となることから、この接触時の摩擦抵抗を安定させることができる。また、当該頭部は、柔軟なプラスチック材料により構成されることから、頭部に与える押圧力によって当該頭部の形状が変形し、紙面と接触する部分の面積を広くすることができるため、紙面に与える押圧力によって上記摩擦抵抗は変化することとなり、めくるべき紙質によって押圧力を調整することにより所望の摩擦抵抗を得ることができる。なお、使用時おいては、胴部を指先で挟んで持つことができるほか、胴部に設けられる嵌合部によって、棒状部材、例えば、鉛筆やボールペンなどに装着することができることから、紙めくり補助具に直接手を触れることなく使用することも可能となる。
【００１０】
また、本発明は、柔軟なプラスチック製で構成されてなり、有底筒状の胴部と、この胴部の底部に連続して形成された略半球状の先端部とからなることを特徴とする紙めくり補助具を要旨としている。
【００１１】
上記構成によれば、上述のように摩擦抵抗を安定的に得ることのできる頭部を有しつつ、胴部の中空内部に棒状部材の先端を嵌入することが可能となる。従って、使用者は手で棒状部材を持つことにより、紙めくり補助具に触れることなく使用できることとなる。そして、この棒状部材として、鉛筆等の筆記具を用いることにより、紙をめくりながら筆記すべき場合であっても、当該筆記具を持ち換えることによって両者を使用することができる。また、筆記具として鉛筆を使用するときには、当該紙めくり補助具は鉛筆の後端に装着されることとなり、鉛筆の重心は後端に接近する位置となるため、この鉛筆が机等から落下する場合、紙めくり補助具を下向きとする姿勢となり、先端の芯の破損を防止することができる。
【００１２】
さらに、本発明は、柔軟なプラスチック製で構成されてなり、有底筒状の胴部と、この胴部の底部にくびれ部を形成しつつ該胴部およびくびれ部と一体的に構成された略半球状の先端部とからなることを特徴とする紙めくり補助具を要旨としている。
【００１３】
上記構成によれば、胴部と頭部との中間に形成されるくびれ部は、頭部および胴部の外径よりも小径に構成されるから、胴部の軸線方向に対して横向きの外力が頭部に作用するとき、くびれ部が最も大きく弾性変形することとなり、当該くびれ部によって外力を吸収することができる。従って、紙をめくる際に、紙面に当接する頭部を横方向に移動するとき、胴部の軸線方向の角度が変化したとしても、頭部の表面が紙面に当接する状態を安定させることができることから、紙をめくる際の一連の動作を無理なく可能にすることができる。
【００１４】
そして、上記各発明において、胴部の開口部近傍の外周面には、少なくとも３個の突起部を設けることが好ましい。この態様によれば、胴部を有底の円筒体で構成した場合に、平面上を自在に転動させないことができる。また、先端部の表面は、凹凸を形成してなることが好ましい。この態様によれば、紙面との間の摩擦抵抗が大きくなるため、紙のめくりを確実にすることができる。さらに、胴部は、適宜長さの棒状部材に固定的に装着してなることが好ましい。この態様によれば、頭部が棒状部材から突出する状態で構成されるため、当該棒状部材を持ちながら操作することができ、また、他の筆記具等とともにペンスタンドに棒状部材を挿入することにより、頭部を保護しつつ保存することも可能となる。
【００１５】
また、紙めくり補助具付き筆記具に係る本発明は、請求項１ないし５のいずれかに記載の紙めくり補助具を、筆記具の後端に固定的に装着してなることを特徴とする紙めくり補助具付き筆記具を要旨とする。
【００１６】
上記構成によれば、筆記具と一体的に紙めくり補助具が存在するため、紙をめくりながら筆記具を使用することができる。このとき、筆記具全体の重心が後端に接近することとなるため、落下時の筆記具の姿勢は、当該紙めくり補助具を下向きとなるため、筆記具の先端の破損を防止できる。特に、筆記具が鉛筆である場合には、芯の破損を防止できるため当該鉛筆の寿命を長期化し得ることとなる。
【発明の効果】
【００１７】
紙めくり補助具に係る本発明によれば、指サックのような構成と異なることから、当然に、指先に装着または貼着することがないのである。これにより、第一に、指に装着する際の不快感を解消することができ、第二に、指先が汚れている場合でも紙面を汚すことがなく紙をめくることができ、第三に、潤滑油等が指に付着している状態であっても使用できる。
【００１８】
また、頭部の形状が略半球状であるため、紙面と接触する頭部の面積が大きく異なることがないので、紙面との間で安定した摩擦抵抗を得ることができる。従って、紙をめくる際の紙面と頭部との当接状態が安定し、紙めくり動作中の状態をも安定させることができる。
【００１９】
上記頭部の操作は、胴部を持って行うことができるが、胴部を棒状部材等に嵌合させ、または、胴部の中空内部に棒状部材等の先端を嵌入することにより、当該棒状部材等から頭部が突出させることができ、棒状部材等を持って紙をめくることが可能となる。
【００２０】
他方、紙めくり補助具付き筆記具に係る本発明によれば、紙めくり補助具は上述のとおり、安定した紙めくり状態を実現できるうえ、当該筆記具を使用する際に、紙めくり補助具を同時に使用できることとなる。
【発明を実施するための最良の形態】
【００２１】
以下、本発明の実施の形態を図面に基づいて説明する。第１図は、第一の実施形態を示している。図１（ａ）は斜視図であり、（ｂ）は正面図である。この図に示すように、本実施形態の紙めくり補助具Ａは、胴部１の先端に略半球状の頭部２が一体的に構成されており、胴部１には、棒状部材Ｂが嵌入できる嵌入部１１が穿設されるとともに、頭部１の表面２１には微細な凹凸が設けられている。上記胴部１の嵌入部に棒状部材Ｂの先端部分を嵌入することによって、当該棒状部材Ｂに紙めくり補助具Ａを装着することができるものである。このときの装着状態については、当該胴部１は柔軟なプラスチックで構成されるため、嵌入すべき棒状部材Ｂの外径Ｄｂを嵌入部１１の内径Ｄａよりも大きいものを使用することにより、当該嵌入部１１は棒状部材Ｂの嵌入によって拡張されることとなる。そして、この嵌入部１１の拡張により、胴部１に弾性力が生じるため、両者は強固に嵌合することとなるのである。なお、このように嵌合させるために、本実施形態では、胴部１を有底筒状に構成しており、頭部２を胴部１の底部側に連続して構成しているが、棒状部材Ｂに嵌合させることができる構成であれば、胴部２の形状は種々の態様とすることが可能である。
【００２２】
図２は、第二の実施形態を示している。（ａ）は斜視図であり、（ｂ）は正面図である。この図に示すように、本実施形態は、有底筒状の胴部１０１と頭部１０２との間にくびれ部１０３を構成するものである。そして、胴部１０１と頭部１０２とは、このくびれ部を介して一体的に形成されている。このくびれ部１０３は、胴部１０１および胴部１０２の外径寸法よりも小径に構成されたために、全体的にくびれ形状となったものであり、外形寸法が小径であることにより、屈曲が容易となるものである。なお、胴部１０１は、その形状が有底筒状であることから、第一実施形態と同様に、嵌入部１１１を形成している。また、頭部１０２は、くびれ部１０３に近接する部分は円柱状に形成されているが、先端部分は略半球状に形成されており、当該半球部分の表面１２１には微細な凹凸が設けられている。
【００２３】
図３は、第三の実施形態を示している。（ａ）は斜視図であり、（ｂ）は正面図である。この図に示すように、本実施形態は、胴部２０１と頭部２０２との中間に構成すべきくびれ部２０３は、胴部２０１の外側表面をテーパ状にすることによって構成されている。すなわち、胴部２０１の外側表面が、一端付近から頭部２０２の側に向かって徐々に小径となるようなテーパ状に構成することによって、頭部２０２に連結する境界位置における胴部２０２の外形寸法を小径にすることができ、当該小径部分をもってくびれ状態を形成するのである。このように、胴部２０１および頭部２０２のうち、当該境界位置における小径部分が最も外形を小さくするため、屈曲を可能にすることができるのである。なお、胴部２０１は全体としては有底筒状に形成されており、嵌入部２１１が一端に向かって開口している。
【００２４】
図４は、上述の第三の実施形態を変形したものを示している。（ａ）は斜視図であり、（ｂ）は右側面図である。この図に示すように、第三の実施形態の変形例は、胴部２０１の一端付近において、テーパが形成されていない部分、すなわち、有底筒状の開口端付近における外径寸法を均一にしてなる部分（以下、筒状部分という）に、３個の突起部２４１，２４２，２４３が設けられたものである。ここで、胴部２０１の筒状部分の外径寸法は、頭部２０２の外径寸法と同程度に構成しており、筒状部分に突起部２４１〜２４３を設けることにより、当該突起部２４１〜２４３の表面部分が最も突出する状態となる。これにより、筒状部分の表面に突起部２４１〜２４３が存在することとなるため、紙めくり補助具Ａが平面上を転がるような場合であっても、当該突起部２４１〜２４３が転動を阻止するように作用するため、連続して転がることがないのである（図４（ｂ）参照）。
【００２５】
そして、この紙めくり補助具Ａのみの状態で横向きに平面上に載置する場合には、胴部２０１の筒状部分および頭部２０２の円柱部分の双方の表面が当該平面に当接するため、胴部２０１に設けた突起部２４１〜２４３が転動を阻止する機能を発揮することとなる、また、胴部２０１の嵌入部２１１に棒状部材を嵌入して、当該棒状部材に紙めくり補助具Ａを装着した状態で平面上に載置する場合には、棒状部材の重量によっても異なるが、通常は当該棒状部材の重量によって、紙めくり補助具Ａは胴部２０２の開口側を下位にして傾斜することとなる。このような状態においても、突起部２４１〜２４３が転動阻止としての機能を発揮することとなる。なお、棒状部材の重量が軽いために紙めくり補助具Ａが傾斜しない場合には、紙めくり補助具Ａが単体で平面上に載置される場合と同様であるから、この場合においても突起部２４１〜２４３は転動阻止機能を発揮する。
【００２６】
図５は、上記とは異なる変形例を示している。（ａ）は、第二の実施形態のくびれ部１０３と第三の実施形態のくびれ部２０３との双方を備えた構成としてものであり、（ｂ）は、（ａ）の変形例に突起部２４１〜２４３を設けた構成のものである。また、（ｃ）は（ａ）の変形例の使用状態を示す図である。
【００２７】
図５（ａ）に示す変形例は、胴部２０１の外側表面にテーパを設けることによって小径にしてなる第１のくびれ部２０３を構成し、さらに、この小径部分と頭部２０２との境界部分において一層小径となる第２のくびれ部１０３を構成したものである。このように構成すれば、第２のくびれ部１０３が最も小径となるものであるが、第１のくびれ部２０３の存在により、胴部２０１の外径寸法から極端にくびれた形状とはならず、原材料を節約しつつ容易に屈曲し得るくびれ部を構成できることとなる。
【００２８】
また、図５（ｂ）に示す変形例は、上述の変形例に対して、胴部２０１の筒状部分に突起部２４１〜２４３を構成しているので、この変形例においても、紙めくり補助具Ａの転動を阻止する機能を発揮させることができる。
【００２９】
このように、第１および第２のくびれ部１０３，２０３によりくびれ全体を構成することにより、図５（ｃ）に示すように、例えば、棒状部材Ｂに紙めくり補助具Ａを装着した状態で、頭部２０２を紙面Ｐに強く押圧した場合においても、第２のくびれ部１０３から屈曲が可能となり、頭部２０２およびその先端に対して適度な弾力性を発揮させることができるのである。そして、このような弾力性の発揮により、紙をめくる際に必要な押圧力を調整することができ、紙質等が異なる場合においても必要な押圧力を紙面Ｐに付与させることから、紙めくりを十分に補助し得るものとなるのである。
【００３０】
次に、上記実施形態および変形例の使用形態について説明する。いずれの実施形態および変形例においても、紙面Ｐに当接する部分は頭部２，１０２，２０２の先端に構成された略半球状部分であるため、すべて同様の使用形態であるから、図５（ａ）において示した変形例を代表に説明する。
【００３１】
図６に示すように、紙めくり補助具Ａを使用する場合は、積層される紙材Ｐａのうち最上層の紙材Ｐ１の表面に当該補助具Ａの半球部分を当接させ（図６（ａ）参照）、この状態において当該補助具Ａの全体を移動させるのである（図６（ｂ）参照）。ここで、紙めくり補助具Ａを使用することが必要となる場合としては、書籍等のページを順次めくる場合や書類束から必要な書面を見付ける場合のように、複数の紙材が積層された状態の中から最上層の１枚のみをめくるような場合である。
【００３２】
従って、紙めくり補助具Ａを紙材Ｐ１の表面に適当な押圧力で押し付けることにより、半球部分は当該紙材Ｐ１の表面に当接し、かつ、当該紙材Ｐ１に対して適度な摩擦抵抗を与えることにより、次層の紙材Ｐ２から分離させることができるものである。このとき、紙めくり補助具Ａの半球部分が最上層の紙材Ｐ１との間で生じさせる摩擦抵抗が、当該紙材Ｐ１と次層の紙材Ｐ２との間で生ずる摩擦抵抗よりも大きいときに、最上層の紙材Ｐ１は当該補助具Ａの移動に伴ってめくられることとなるが、補助具Ａを紙材Ｐ１の表面に強く押圧するときには、そのときの圧力により最上層の紙材Ｐ１と次層の紙材Ｐ２との間の摩擦抵抗が大きくなるため、最上層の紙材Ｐ１に引き寄せられるように次層の紙材Ｐ２をもめくることになるため、適度な押圧力を与えることが肝要である。なお、このような押圧力の加減は、紙質や印刷状態によって微妙に異なるが、数回程度の使用によって十分に要領を得ることができる。そして、このような適度な押圧力を作用させつつ、紙めくり補助具Ａを移動させることにより、最上層の紙面Ｐ１は、半球部分に当接する部分を移動させることとなり、紙面Ｐ１が波状にめくりあがることとなるのである。これにより、補助具Ａを操作しない側の手または指で当該波状部分を持つことにより、最上層の紙材Ｐ１の１枚のみを完全にめくることができるのである。
【００３３】
本発明の実施形態の使用方法は上記のとおりであることから、紙めくり補助具Ａの頭部２，１０２，２０２の先端に構成される半球部分を紙面に当接することができれば、棒状部材Ｂに装着されていなくとも使用可能である。すなわち、当該補助具Ａの胴部１，１０１，２０１を指で挟むことにより、頭部２，１０２，２０２を紙面に当接させることができ、かつ、当該補助具Ａを移動させることができるのである。この場合においても最上層の紙材Ｐ１を波状にめくりあげることが可能となる。
【００３４】
このように、いずれの形態により使用する場合においても、紙材をめくる方法は同一であるから、使用者の使い勝手に応じて選択すればよいものである。そして、紙めくり補助具Ａを棒状部材Ｂに装着した状態であれば、当該棒状部材Ｂをペンスタンド等に挿入することにより、筆記具等とともに収納することが可能となり、また、棒状部材Ｂとは独立して補助具Ａを単体で使用する場合には、消しゴム等ともに収納することができる。さらに、上記棒状部材Ｂを鉛筆等の筆記具の後端に装着することにより、鉛筆等の使用時において必要あるときのみ、当該鉛筆等を持ち換えれば両用できることとなる。
【００３５】
本発明の実施形態は、上記のとおりであるが、本発明の趣旨を逸脱しない範囲において種々の態様をとることができる。例えば、胴部１，１０１，２０１に設けられる嵌入孔１１，１１１，２１１の断面形状については、上記いずれの態様においても円形としたもののみを示したが、図７（ａ）に示すように、嵌入孔３１１の断面形状を六角形にすることも可能である。このような構成の場合、例えば、断面形状六角形の鉛筆の後端に補助具Ａを装着するとき、当該補助具Ａを鉛筆先端に嵌合させることができる。また、補助具Ａの胴部１，１０１，２０１の外形状についても、上記実施形態では断面円形にしたもののみを示したが、これを多角形にすることが可能である。そこで、例えば、図７（ｂ）に示すように、胴部３０１の外形状を断面六角形にすることができる。このような構成の場合、補助具Ａが机などの平坦な平面上において横向きに載置するときでも、当該平面上を容易に転がることがないのである。これは、図４において示した形態の変形例と評価することができる。
【図面の簡単な説明】
【００３６】
【図１】（ａ）は第一の実施形態の斜視図であり、（ｂ）は正面図である。
【図２】（ａ）は第二の実施形態の斜視図である、（ｂ）は正面図である。
【図３】（ａ）は第三の実施形態の斜視図であり、（ｂ）は正面図である。
【図４】第三の実施形態の変形例を示す図である。
【図５】（ａ）および（ｂ）は、他の変形例を示す図であり、（ｃ）はその使用状態を示す図である。
【図６】本発明の使用態様を示す図である。
【図７】他の実施形態を示す斜視図である。
【符号の説明】
【００３７】
１，１０１，２０１，３０１  胴部
２，１０２，２０２  頭部
１１，１１１，２１１，３１１  嵌入部
２１，１２１，２２１  頭部表面
１０３，２０３  くびれ部
２４１，２４２，２４３  突起部
Ａ  紙めくり補助具
Ｂ  棒状部材
Ｐ  紙面
Ｐ１，Ｐ２  紙材
【図１】
2007261224.tif 000003
【図２】
2007261224.tif 000004
【図３】
2007261224.tif 000005
【図４】
2007261224.tif 000006
【図５】
2007261224.tif 000007
【図６】
2007261224.tif 000008
【図７】
2007261224.tif 000009